(57)【要約】【課題】  ＣＤの楽曲データベースに登録された楽曲のインデックス情報は、情報自体に第三者による創作の余地がなかった。【解決手段】  楽曲再生装置１０において、指示受付部２６は、楽曲データの再生指示をユーザから受け取る。楽曲認識部４０は、再生指示がなされた楽曲データを特定するために必要な識別情報を楽曲データから読み出す。識別情報送信部４４は、識別情報を所定のサーバへ送信する。楽曲情報受信部４６は、サーバにおける識別情報に基づく照合の結果として、楽曲データに関連する文章および画像のうち少なくともいずれかが、ハイパーリンクを利用する所定の文書記述言語によって埋め込まれた楽曲情報文書をサーバから受信する。表示処理部２４は、楽曲情報文書に基づき、楽曲データに関連する文章および画像のうち少なくともいずれかを楽曲情報文書に定められた配置で画面に表示させる。【選択図】  図２
2006113148.tif 000002
【特許請求の範囲】
【請求項１】
楽曲データの再生指示をユーザから受け取る指示受付部と、
前記再生指示がなされた楽曲データを特定するために必要な識別情報を前記楽曲データから読み出す楽曲認識部と、
前記識別情報を所定のサーバへ送信する識別情報送信部と、
前記サーバにおける前記識別情報に基づく照合の結果として、前記楽曲データに関連する文章および画像のうち少なくともいずれかが、ハイパーリンクを利用する所定の文書記述言語によって埋め込まれた楽曲情報文書を前記サーバから受信する楽曲情報受信部と、
前記楽曲情報文書に基づき、前記楽曲データに関連する文章および画像のうち少なくともいずれかを前記楽曲情報文書に定められた配置で画面に表示させる表示処理部と、
を備えることを特徴とする楽曲再生装置。
【請求項２】
前記楽曲情報受信部は、前記サーバへ送信した識別情報により特定される楽曲データとジャンル、演奏者、および収録先アルバムのうち少なくともいずれかが共通する他の楽曲データの情報が埋め込まれた前記楽曲情報文書を前記サーバから受信し、
前記表示処理部は、前記楽曲情報受信部が受信した他の楽曲データに関する情報を推薦楽曲として前記楽曲情報文書に定められた配置で画面に表示させることを特徴とする請求項１に記載の楽曲再生装置。
【請求項３】
前記楽曲情報受信部は、ユーザによりあらかじめ指定された他のユーザが現在再生中の楽曲データ、前記他のユーザによる再生回数が所定数を上回る楽曲データ、および前記他のユーザにより推薦指定された楽曲データのうち少なくともいずれかに関する情報が埋め込まれた前記楽曲情報文書を受信し、
前記表示処理部は、前記他のユーザにおける楽曲データの情報を推薦楽曲として前記楽曲情報文書に定められた配置にてさらに表示させることを特徴とする請求項１または２に記載の楽曲再生装置。
【請求項４】
前記指示受付部は、前記楽曲データの再生指示を楽曲単位、演奏者単位、およびアルバム単位のうちいずれかの単位でユーザから受け取り、
前記楽曲認識部は、楽曲単位の再生指示があったときはその楽曲データを特定するための楽曲識別情報を読み出し、演奏者単位の再生指示があったときはその演奏者を特定するための演奏者識別情報を読み出し、アルバム単位の再生指示があったときはそのアルバムを特定するためのアルバム識別情報を読み出し、
前記楽曲情報受信部は、楽曲データ、演奏者、およびアルバムのうち少なくともいずれかに関連する楽曲情報文書を前記サーバから受信することを特徴とする請求項１から３のいずれかに記載の楽曲再生装置。
【請求項５】
楽曲データに関連する文章および画像のうち少なくともいずれかが、ハイパーリンクを利用する所定の文書記述言語によって埋め込まれた楽曲情報文書を、前記楽曲データを特定するために必要な楽曲識別情報と対応させて記憶する楽曲情報格納部と、
ユーザにより楽曲データの再生指示がなされた端末からその楽曲データの楽曲識別情報を受信する識別情報受信部と、
前記受信した楽曲識別情報に基づいてその識別情報に対応する楽曲データの楽曲情報文書を前記楽曲情報格納部から抽出する楽曲特定部と、
前記抽出された楽曲情報文書を前記ユーザの端末へ送信することにより前記楽曲データに関連する文章および画像のうち少なくともいずれかを前記楽曲情報文書に定められた配置で前記端末の画面に表示させる文書送信部と、
を備えることを特徴とする楽曲情報配信サーバ。
【請求項６】
前記楽曲情報格納部は、楽曲データごとにそのジャンルの情報、演奏者の情報、および収録先アルバムの情報のうち少なくともいずれかを前記楽曲データの楽曲識別情報と対応させてさらに記憶し、
前記楽曲特定部は、前記識別情報受信部が受信した楽曲識別情報に対応する楽曲データとの間でジャンル、演奏者、および収録先アルバムのうちいずれかが共通する他の楽曲データを前記楽曲情報格納部から抽出し、
前記文書送信部は、前記抽出された他の楽曲データの情報とその情報の画面上での配置に関する記述が格納された前記楽曲情報文書を前記ユーザの端末へ送信することを特徴とする請求項５に記載の楽曲情報配信サーバ。
【請求項７】
ユーザを特定するためのユーザ識別情報に、そのユーザにより指定された他のユーザのユーザ識別情報を対応させて記憶するユーザリスト格納部と、
ユーザの端末から送信された前記楽曲識別情報に基づき、各ユーザの端末における現在再生中の楽曲データ、各ユーザの端末における再生頻度が高い楽曲データ、および各ユーザにより推奨された楽曲データのうち少なくともいずれかに関する情報を、それらの送信元におけるユーザのユーザ識別情報と対応させて記憶する再生情報記録部と、をさらに備え、
前記識別情報受信部は、前記楽曲識別情報とともにそのユーザのユーザ識別情報を受信し、
前記楽曲特定部は、前記ユーザ識別情報に対応して記録された他のユーザを特定するとともに、前記他のユーザの端末における現在再生中の楽曲データ、前記他のユーザの端末における再生回数が所定数を上回った楽曲データ、および前記他のユーザにより推薦指定された楽曲データのうち少なくともいずれかに関する情報を特定し、
前記文書送信部は、前記他のユーザの端末における現在再生中の楽曲データ、前記他のユーザの端末における再生回数が所定数を上回った楽曲データ、および前記他のユーザにより推薦指定された楽曲データのうち少なくともいずれかに関する情報とその情報の画面上での配置に関する記述が格納された前記楽曲情報文書を前記ユーザの端末へ送信することを特徴とする請求項５または６に記載の楽曲情報配信サーバ。
【請求項８】
前記楽曲情報格納部は、楽曲データに関する情報として、楽曲ごとの有用情報、楽曲の演奏者ごとの有用情報、および楽曲の収録先アルバムごとの有用情報のうち少なくともいずれかが埋め込まれた楽曲情報文書を、楽曲を特定するための楽曲識別情報、楽曲の演奏者を特定するための演奏者識別情報、および楽曲の収録先アルバムを特定するためのアルバム識別情報のうち少なくともいずれかと対応させて記憶し、
前記識別情報受信部は、前記ユーザの端末において前記再生指示が楽曲単位になされたときは楽曲識別情報を受信し、前記再生指示が演奏者単位になされたときは演奏者識別情報を受信し、前記再生指示がアルバム単位になされたときはアルバム識別情報を受信し、
前記楽曲特定部は、前記識別情報受信部が受信した楽曲識別情報、演奏者識別情報、およびアルバム識別情報のうちいずれかに基づいて前記楽曲ごとの有用情報、前記演奏者ごとの有用情報、および前記収録先アルバムごとの有用情報のうちいずれかを抽出し、
前記文書送信部は、前記抽出された前記楽曲ごとの有用情報、前記演奏者ごとの有用情報、および前記収録先アルバムごとの有用情報のうち少なくともいずれかとその情報の画面上での配置に関する記述が格納された前記楽曲情報文書を前記ユーザの端末へ送信することを特徴とする請求項５から７のいずれかに記載の楽曲情報配信サーバ。
【発明の詳細な説明】
【技術分野】
【０００１】
この発明は、楽曲再生装置および楽曲情報配信サーバに関する。この発明は特に、音楽を再生する装置にて利用される付加的な情報を管理する技術に関する。
【背景技術】
【０００２】
近年、携帯情報端末の一つとして、符号化された楽曲データを再生できるいわゆるポータブルオーディオプレイヤーが人気を博している。ハードウエア的には、不揮発性メモリに楽曲データを格納するものや、小型ハードディスクに楽曲データを格納するものまで、容量や形式の面でメーカーごとに種々の仕様がみられる。ＭＰ３等の圧縮形式で符号化された楽曲データは、多くの場合、楽曲名、演奏者名、収録先アルバム名、演奏時間、曲番といった楽曲の内容を示すインデックス情報を内包している。小型の液晶パネルを備えるポータブルオーディオプレイヤーにあっては、再生中の楽曲に関して上記のインデックス情報を液晶パネルに表示する。
【０００３】
デスクトップコンピュータにおいても、内蔵するＣＤドライブを用いて音楽ＣＤを再生することができる。また、音楽ＣＤに収録された楽曲の楽曲名、演奏者名、アルバム名等を含むインデックス情報をインターネット上の音楽データベースから自動取得する技術が知られている（例えば、非特許文献１参照）。
【非特許文献１】［online］、Gracenote、［２００４年２月１０日検索］、インターネット＜URL：http://www.gracenote.com/gn_japan/patents.html＞
【発明の開示】
【発明が解決しようとする課題】
【０００４】
ここで、データベースに登録された多数の楽曲のインデックス情報は、それらの楽曲の楽曲名等、すでに一般的に公開されている情報が一定のフォーマットでデータ化されているにすぎず、情報自体に第三者による創作の余地はない。その情報の価値や有用性という面では、ユーザが楽曲名等のインデックス情報をわざわざ手動で入力する必要がなくなるといったメリットが得られるだけであり、ユーザはその情報から新たな発見が得られるわけではない。
【０００５】
また、インデックス情報をどのように利用してどのように表示させるかは、情報取得側のアプリケーションプログラムに委ねられており、表示態様の面で情報提供者側にも創作の余地はなかった。
【０００６】
本発明者は以上の認識に基づき本発明をなしたもので、その目的は、音楽を再生する装置を利用するユーザに付加的な情報を提供できる技術を実現する点にある。
【課題を解決するための手段】
【０００７】
上記課題を解決するために、本発明のある態様の楽曲再生装置は、楽曲データの再生指示をユーザから受け取る指示受付部と、再生指示がなされた楽曲データを特定するために必要な識別情報を楽曲データから読み出す楽曲認識部と、識別情報を所定のサーバへ送信する識別情報送信部と、サーバにおける識別情報に基づく照合の結果として、楽曲データに関連する文章および画像のうち少なくともいずれかが、ハイパーリンクを利用する所定の文書記述言語によって埋め込まれた楽曲情報文書をサーバから受信する楽曲情報受信部と、楽曲情報文書に基づき、楽曲データに関連する文章および画像のうち少なくともいずれかを楽曲情報文書に定められた配置で画面に表示させる表示処理部と、を備える。
【０００８】
「楽曲データ」は、例えばＭＰ３等の圧縮形式に符号化された音楽のデータであり、一般的には曲単位で一つのファイルを構成する。「ハイパーリンクを利用する所定の文書記述言語」は、例えばＨＴＭＬ（Hyper Text Markup Language）である。
【０００９】
この楽曲再生装置は、例えばポータブルオーディオプレイヤである。ただし、必ずしも単一のハードウエア構成で実現されるとは限らず、その機能のうち少なくとも一部を外部のハードウエアに分離して全体を構成してもよい。
【００１０】
この態様によると、楽曲再生装置において、再生される楽曲に関連する情報を含んだ楽曲情報文書が自動的にサーバから取得され、これを画面に表示することができる。楽曲情報文書は、ＨＴＭＬ等の文書記述言語で記述されており、文章や画像の視覚的な表現方法や配置が定義されている。このように、ユーザは楽曲の再生指示をするだけで関連する多様なメディアによる最新の情報を自動取得してこれを視聴することができる。したがって、楽曲再生装置を単なる楽曲再生のための装置としてではなく、最新情報取得ツール、情報共有ツール、またはコミュニケーションツールとして活用することができる。
【００１１】
本発明の別の態様は、楽曲情報配信サーバである。この楽曲情報配信サーバは、楽曲データに関連する文章および画像のうち少なくともいずれかが、ハイパーリンクを利用する所定の文書記述言語によって埋め込まれた楽曲情報文書を、楽曲データを特定するために必要な楽曲識別情報と対応させて記憶する楽曲情報格納部と、ユーザにより楽曲データの再生指示がなされた端末からその楽曲データの楽曲識別情報を受信する識別情報受信部と、受信した楽曲識別情報に基づいてその識別情報に対応する楽曲データの楽曲情報文書を楽曲情報格納部から抽出する楽曲特定部と、抽出された楽曲情報文書をユーザの端末へ送信することにより楽曲データに関連する文章および画像のうち少なくともいずれかを楽曲情報文書に定められた配置で端末の画面に表示させる文書送信部と、を備える。
【００１２】
この態様によると、楽曲再生装置から再生される楽曲の識別情報を受信するので、現在再生中の楽曲を特定でき、その楽曲に関連する情報を含んだ楽曲情報文書をその楽曲再生装置に送信することができる。楽曲情報文書は、ＨＴＭＬ等の文書記述言語で記述されており、文章や画像の視覚的な表現方法や配置が定義される。このように、ユーザ側で再生中の楽曲をサーバ側で認識できるので、その楽曲との関連で多様なメディアの情報をユーザに配信することが可能となる。こうして、楽曲認識を足がかりとした最新情報の効果的な配信、情報共有、またはコミュニケーションエリアの提供を図ることができる。
【００１３】
なお、以上の構成要素の任意の組合せや、本発明の構成要素や表現を方法、装置、システム、コンピュータプログラム、コンピュータプログラムを格納した記録媒体、データ構造などの間で相互に置換したものもまた、本発明の態様として有効である。
【発明の効果】
【００１４】
本発明によれば、楽曲再生装置で再生中の楽曲データに関連して効果的な情報配信と情報取得を実現することができる。
【発明を実施するための最良の形態】
【００１５】
本実施例においては、ＨＴＭＬを用いて記述された楽曲情報文書を楽曲情報配信サーバが楽曲再生装置へ送信し、楽曲再生装置はＨＴＭＬの記述内容を液晶画面に表示する。この楽曲情報文書には、その楽曲に関連する有用情報や関連する他の推薦楽曲の情報が画像も含めた視覚的な配置とともに記述されている。従来、楽曲の曲名、アルバム名、演奏者名、演奏時間、ジャンル等のインデックス情報を所定のサーバから自動取得するコンピュータプログラムは知られているが、これらの情報は第三者による創作の余地がない必要最小限の情報にすぎない。本実施例による配信または取得される情報は、楽曲に関連する有用情報、画像、視覚的な配置等に第三者による創作の余地があり、多種多様な楽曲情報文書が考えられる。したがって、ユーザは楽曲再生装置を通じて自分が興味のある多種多様な最新情報を自動取得でき、サーバ運営側は楽曲再生装置を通じて多種多様な情報を効果的にユーザへ配信することができる。
【００１６】
図１は、楽曲再生装置の外観を示す。楽曲再生装置１０は、正面に液晶画面１２を備え、その液晶画面１２に再生中の楽曲データの情報やその楽曲に関連する有用情報、再生状態等が表示される。これらの表示形式はＨＴＭＬで記述された楽曲情報文書に定められる。楽曲再生装置１０は、液晶画面１２の下方に十字キー１８、決定キー２２、および取消キー２０からなる指示受付部２６を備える。ユーザは、十字キー１８、決定キー２２、取消キー２０を操作して楽曲再生装置１０を使用する。例えば、十字キー１８で上下左右にスクロール指示し、決定キー２２を押下すると、カーソル上の楽曲データの再生が開始され、ユーザが取消キー２０を押下すると楽曲データの再生が停止される。楽曲再生装置１０の上部には、楽曲情報配信サーバと無線通信するためのアンテナ１６と、イヤーフォン１４を差し込む音声出力端子が設けられる。すなわち、楽曲再生装置１０は、アンテナ１６を介した無線通信により楽曲情報配信サーバに接続し、楽曲データに関する情報を送受信する。ユーザはイヤーフォン１４を用いて音楽を鑑賞する。
【００１７】
図２は、楽曲再生装置および楽曲情報配信サーバの基本的な構成を示す機能ブロック図である。図示する通り、ネットワーク経由で接続された楽曲再生装置１０と楽曲情報配信サーバ１００によって全体のシステムが構成される。最初に楽曲再生装置１０を説明した後、楽曲情報配信サーバ１００を説明する。
【００１８】
楽曲再生装置１０は、コンテンツ格納部３４、再生処理部３６、音声出力部３２、表示処理部２４、言語解釈部３８、楽曲認識部４０、識別情報送信部４４、送受信部４２、楽曲情報受信部４６、指示受付部２６、および制御部３０を備える。楽曲再生装置１０は、送受信部４２とアクセスポイント５２の間でアンテナ１６を介して無線通信で接続され、アクセスポイント５２およびインターネット５０を経由して楽曲情報配信サーバ１００とデータを送受信する。
【００１９】
楽曲再生装置１０および楽曲情報配信サーバ１００の構成は、ハードウエアコンポーネントでいえば、任意のコンピュータのＣＰＵ、メモリ、メモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２０】
ユーザは、指示受付部２６を操作することにより、楽曲再生装置１０へ動作を指示する。指示受付部２６は、ユーザから受け取った指示を制御部３０へ送る。制御部３０は、受け取った指示に基づいて各部の動作を制御する。例えば、ユーザが液晶画面１２に表示されたメニューから特定の楽曲を選択して再生指示をすると、その選択された楽曲データを再生処理部３６がコンテンツ格納部３４から読み出して再生する。コンテンツ格納部３４は、複数の楽曲データを保持する。再生処理部３６で再生された音声は、音声出力部３２から出力される。
【００２１】
楽曲情報受信部４６は、ユーザから楽曲データの再生指示があったときに、その楽曲データに関連する有用な情報が記述された楽曲情報文書を、送受信部４２またはコンテンツ格納部３４からメモリに読み込む。楽曲情報文書は、ＨＴＭＬやＸＭＬ等のハイパーリンクを利用する文書記述言語によって記述されている。本実施例で用いられる文書記述言語は、楽曲名等の情報や関連する画像を楽曲再生装置１０の液晶画面１２へ視覚的に表示させるために用いられるＨＴＭＬである。
【００２２】
指示受付部２６が楽曲データの再生指示をユーザから受け取ると、楽曲認識部４０は、再生指示がなされた楽曲データを特定するために必要な識別情報を楽曲データから読み出す。このとき表示処理部２４は、コンテンツ格納部３４に格納された複数の楽曲データをファイルブラウザ形式でリスト表示する。例えば、表示処理部２４は複数の楽曲データを演奏者単位またはアルバム単位でツリー状に表示し、指示受付部２６は表示されたツリーから選択される形の再生指示を楽曲単位、演奏者単位、アルバム単位のうちいずれかの単位でユーザから受け取る。楽曲認識部４０は、楽曲単位の再生指示があったときはその楽曲データを特定するための楽曲識別情報を読み出し、演奏者単位の再生指示があったときはその演奏者を特定するための演奏者識別情報を読み出し、アルバム単位の再生指示があったときはそのアルバムを特定するためのアルバム識別情報を読み出す。楽曲識別情報、演奏者識別情報、アルバム識別情報は、それぞれ楽曲データ内に格納されてもよいし、コンテンツ格納部３４内に楽曲データと対応付けられたテーブルの形で格納されてもよい。識別情報送信部４４は、楽曲識別情報、演奏者識別情報、アルバム識別情報とユーザ識別情報を楽曲情報配信サーバ１００へ送信する。
【００２３】
楽曲情報受信部４６は、楽曲情報配信サーバ１００における識別情報に基づく照合の結果として、識別情報に対応する楽曲情報文書を楽曲情報配信サーバ１００から受信する。楽曲情報文書には、その楽曲データに関連する有用情報がテキストで記述されていたり、画像データや音声データ等のファイルが、ＨＴＭＬ等の文書記述言語におけるハイパーリンク形式でリンク指定され、埋め込まれている。したがって、「楽曲情報文書」は、単一のデータで構成される場合に限らず、ＨＴＭＬファイルと画像データや音声データといったファイルなど複数のデータの集合として構成されてもよい。
【００２４】
楽曲情報文書には、楽曲情報配信サーバ１００へ送信した識別情報により特定される楽曲データとジャンル、演奏者、および収録先アルバムなどが共通する他の楽曲データの情報が埋め込まれている場合がある。例えば、その楽曲の演奏者に関する音楽活動状況の最新情報がテキストデータが埋め込まれていたり、あるいはその演奏者やアルバムジャケットの画像データや音声データがＨＴＭＬファイルにリンク指定される。そのＨＴＭＬファイルと画像データや音声データの集合が楽曲情報文書として楽曲情報配信サーバ１００から送信される。
【００２５】
楽曲情報文書には、ユーザによりあらかじめ指定された知人、友人、仲間である他のユーザ（以下、「バディ」という）の情報が含まれる場合がある。ユーザは、楽曲情報配信サーバ１００上に設定されるバディリストへ一人以上のバディを登録することができる。その場合、登録されたバディが使用する端末において現在再生されている楽曲データの楽曲名、演奏者名、アルバム名や、バディが使用する端末において再生回数が所定数または所定頻度を上回るような頻繁に再生される楽曲データの楽曲名、演奏者名、アルバム名、バディによりあらかじめ推薦指定された楽曲データの楽曲名、演奏者名、アルバム名、といった情報が埋め込まれる。ユーザは、指示受付部２６を介してバディとして登録したい他のユーザのユーザ識別情報を楽曲情報配信サーバ１００に送信すると、楽曲情報配信サーバ１００に格納されたバディリストに自分のユーザ識別情報と他のユーザのユーザ識別情報とが対応づけられて登録される。楽曲情報受信部４６が楽曲情報配信サーバ１００から受信した楽曲情報文書はコンテンツ格納部３４に格納される。
【００２６】
送受信部４２が楽曲情報配信サーバ１００との間で何らかの理由または環境状態によって通信不能であった場合、楽曲情報受信部４６は、識別情報に対応する楽曲情報文書を楽曲情報配信サーバ１００からではなくコンテンツ格納部３４から検出して読み出す。識別情報に対応する楽曲情報文書がコンテンツ格納部３４に存在しなかった場合には、汎用的な楽曲情報文書をコンテンツ格納部３４から読み出す。汎用的な楽曲情報文書には、例えば楽曲名、演奏者名、アルバム名等の情報を液晶画面１２に表示する際のそれぞれの表示位置や文字形態、配色等の視覚的な表示形態の初期的な定義が記述され、有用情報や画像データまたは音声データへのリンク等は記述されていない。
【００２７】
楽曲情報受信部４６は、楽曲情報配信サーバ１００から受信した楽曲情報文書、またはコンテンツ格納部３４から読み出した楽曲情報文書を言語解釈部３８へ送る。言語解釈部３８は、楽曲情報文書における文書記述言語による記述内容にしたがって楽曲データに関連する情報の内容およびその表示形式を認識する。すなわち、言語解釈部３８は、液晶画面１２に表示させるべき楽曲名、演奏者名、アルバム名、関連情報等のテキストや画像を楽曲情報文書から認識するとともに、液晶画面１２における各情報の配置や文字修飾等の表示形式を認識する。言語解釈部３８は、認識した各情報とそれらの表示形式を表示処理部２４へ送る。表示処理部２４は、言語解釈部３８から受け取った楽曲データに関連する文章や画像等の各データをその表示形式にしたがって液晶画面１２に表示する。また、表示処理部２４は、再生する楽曲に関連のある他の楽曲に関する情報やバディとの関連で指定された他の楽曲の情報が楽曲情報文書に含まれる場合、これらを推薦楽曲という位置づけで楽曲情報文書に定められた配置にて液晶画面１２に表示させる。
【００２８】
次に楽曲情報配信サーバ１００を説明する。楽曲情報配信サーバ１００は、送受信部１０２、識別情報受信部１０４、楽曲特定部１０６、楽曲情報格納部１０８、文書送信部１１０、ユーザリスト格納部１１２、および再生情報記録部１１４を備える。送受信部１０２は、インターネット５０およびアクセスポイント５２を経由して楽曲再生装置１０との間でデータを送受信する。
【００２９】
識別情報受信部１０４は、ユーザにより楽曲データの再生指示がなされた楽曲再生装置１０から、再生指示のあった楽曲データの楽曲識別情報と、そのユーザのユーザ識別情報を受信する。また、識別情報受信部１０４は、楽曲再生装置１０において再生指示が楽曲単位になされたときは楽曲識別情報を受信するが、再生指示が演奏者単位になされたときは演奏者識別情報を受信し、再生指示がアルバム単位になされたときはアルバム識別情報を受信する。楽曲再生装置１０において複数の楽曲が連続して再生される場合、次の楽曲再生が開始される前後にその楽曲の楽曲識別情報が送信され、その楽曲識別情報を識別情報受信部１０４が受信する。
【００３０】
楽曲情報格納部１０８には、あらかじめ多数の楽曲に対応した楽曲情報文書がそれぞれの楽曲の楽曲識別情報、演奏者識別情報、アルバム識別情報と対応づけられて格納される。また楽曲情報格納部１０８は、楽曲データごとにそのジャンルの情報、演奏者の情報、収録先アルバムの情報を楽曲データの楽曲識別情報と対応させてさらに記憶する。ジャンルの情報は、例えばロック、ポップス、ジャズ、クラシックといった音楽ジャンル名である。演奏者の情報は、例えば演奏者名や演奏グループ名である。収録先アルバムの情報は、例えばアルバム名や発売年月日である。
【００３１】
楽曲情報格納部１０８は、楽曲データに関する情報として、楽曲ごとの有用情報、演奏者ごとの有用情報、アルバムごとの有用情報を記憶する。これらの有用情報は、例えばレコード会社から提供される楽曲、演奏者、アルバムの最新情報や、楽曲、演奏者、アルバムに関して電子掲示板やチャット等のオンラインコミュニティにインターネット５０経由で送られてきた情報である。こうした情報は、あらかじめ楽曲情報配信サーバ１００の管理者により所定の形式に整形されたテキストデータや画像データの形で楽曲情報格納部１０８に格納される。また、これらの情報が埋め込まれた楽曲情報文書が、楽曲識別情報、演奏者識別情報、アルバム識別情報と対応付けられて楽曲情報格納部１０８に格納される。
【００３２】
楽曲情報格納部１０８には、ユーザ別に割り当てられたユーザ領域が含まれており、各ユーザ領域にユーザ別の情報が格納される。例えば、そのユーザの楽曲再生装置１０から受信した楽曲識別情報、演奏者識別情報、アルバム識別情報が、そのユーザの現在再生中の楽曲を示す情報としてユーザ領域に格納される。また、そのユーザの楽曲再生装置１０から受信する楽曲識別情報、演奏者識別情報、アルバム識別情報を蓄積し、これらの識別情報の蓄積数が多い楽曲をそのユーザの再生頻度が高い楽曲を示す情報としてユーザ領域に格納される。また、そのユーザの楽曲再生装置１０から特定の楽曲について推薦指定の情報を受信した場合、その楽曲の楽曲識別情報、演奏者識別情報、アルバム識別情報がそのユーザの推薦楽曲を示す情報として楽曲情報格納部１０８のユーザ領域に格納される。
【００３３】
再生情報記録部１１４は、楽曲再生装置１０から受信した楽曲識別情報に基づき、各ユーザの端末における現在再生中の楽曲データを示す楽曲識別情報、各ユーザの端末における再生頻度が高い楽曲データを示す楽曲識別情報、および各ユーザにより推奨指定された楽曲に関する情報を、それらの送信元におけるユーザのユーザ識別情報と対応させて楽曲情報格納部１０８に格納する。
【００３４】
識別情報受信部１０４が楽曲再生装置１０から受信したユーザ識別情報はユーザリスト格納部１１２に格納される。また、識別情報受信部１０４が楽曲再生装置１０からバディリストへの登録要求として受信した他のユーザのユーザ識別情報を受信したときは、そのユーザ識別情報を要求元ユーザと対応づけてバディリストとしてユーザリスト格納部１１２に記録する。
【００３５】
楽曲特定部１０６は、識別情報受信部１０４が受信した楽曲識別情報に基づいてその識別情報に対応する楽曲データの楽曲情報文書やその楽曲データとの間でジャンル、演奏者、または収録先アルバムが共通する他の楽曲データの情報を楽曲情報格納部１０８から抽出する。楽曲特定部１０６は、識別情報受信部１０４が受信したユーザ識別情報に対応してユーザリスト格納部１１２に記録されたバディのユーザ識別情報を特定するとともに、そのバディの端末における現在再生中の楽曲データ、バディが使用する端末における再生回数が所定数を上回った楽曲データ、バディにより推薦指定された楽曲データに関する情報を楽曲情報格納部１０８から特定して、推薦楽曲という位置づけの情報として楽曲情報文書の所定領域に埋め込む。
【００３６】
楽曲特定部１０６は、識別情報受信部１０４が受信した楽曲識別情報、演奏者識別情報、アルバム識別情報に基づいて楽曲ごとの有用情報、演奏者ごとの有用情報、および収録先アルバムごとの有用情報を楽曲情報格納部１０８から抽出し、抽出した有用情報を楽曲情報文書の所定領域に埋め込む。なお、ある楽曲に対応または関連する楽曲情報文書が楽曲情報格納部１０８から複数特定された場合には、楽曲特定部１０６により一つのＨＴＭＬファイルに統合されてもよいし、楽曲特定部１０６によりいずれかがランダムに選択されてもよい。
【００３７】
文書送信部１１０は、楽曲特定部１０６により楽曲情報格納部１０８から抽出された楽曲情報文書を、楽曲識別情報の送信元であるユーザの楽曲再生装置１０へ送信する。その楽曲情報文書には、その楽曲に関連する有用情報や推薦楽曲の情報も埋め込まれている。これにより楽曲データに関連する文章や画像を楽曲情報文書に定められた配置で楽曲再生装置１０の液晶画面１２に表示させることができる。
【００３８】
図３は、楽曲再生装置１０の液晶画面１２における表示内容を模式的に示す。液晶画面１２には、再生中の楽曲データと関連のある画像やテキストが楽曲情報文書に定義された通りに配置されて表示される。画像欄１２０には、再生中である楽曲データの演奏者の画像やその楽曲が収録されたアルバムのジャケット画像が表示される。その画像データは、楽曲情報文書のＨＴＭＬファイルにおいてハイパーリンクでリンク指定されている。楽曲名欄１２２には、再生中の楽曲データの楽曲名がテキスト表示される。演奏者名欄１２４には、再生中の楽曲データの演奏者名がテキスト表示される。アルバム名欄１２６には、再生中の楽曲データが収録されたアルバムのアルバム名がテキスト表示される。演奏時間欄１２８には、再生中の楽曲データの演奏時間がテキスト表示され、再生の進行に合わせて時間表示が変動する。
【００３９】
有用情報欄１３０には、再生中の楽曲データと関連する有用情報がテキスト表示される。バディリスト欄１３２には、楽曲再生装置１０のユーザにあらかじめバディとして指定されバディリストに登録された各バディに関連する情報が表示される。バディリスト欄１３２は、第１バディ欄１３４、第２バディ欄１３６、第３バディ欄１３８を含み、それぞれのバディ欄に各バディの再生中の楽曲名やそのバディがよく聴く曲の楽曲名、バディの推薦楽曲名がテキスト表示される。
【００４０】
以上のように楽曲再生装置１０の液晶画面１２には再生中の楽曲と関連のある文章や画像が表示されるが、これらの表示項目や配置の表示形態は一定ではなく、楽曲ごと、演奏者ごと、アルバムごとに異なる表示項目と配置が楽曲情報文書に定義される。これにより、つねに一定の配置にて楽曲名等が表示される従来のポータブルオーディオプレイヤーと異なり、ユーザは聴覚的だけでなく視覚的にも楽しむことができる。また、楽曲情報文書を提供するサービス提供者やレコード会社にとっても自由なレイアウトと自由な発想で音楽情報を発信することができる。
【００４１】
図４は、バディリストのテーブルを模式的に示す。図示するバディリスト１４０は、ユーザリスト格納部１１２に格納される。バディリスト１４０は、ユーザ欄１４２とバディ欄１４４を含み、ユーザ欄１４２にはバディを登録するユーザのユーザ識別情報が格納され、バディ欄１４４にはバディを登録指示するユーザとの対応でそのバディのユーザ識別情報が格納される。
【００４２】
図５は、楽曲識別情報の形式を示す。楽曲識別情報１５０は、演奏者識別情報１５２、アルバム識別情報１５４、楽曲番号１５６の組合せで構成される。本図の例では、上５桁の「ＡＡＡＡＡ」の部分が演奏者識別情報１５２であり、次の４桁「０００１」の部分がアルバム識別情報１５４であり、下２桁の「０１」が楽曲番号１５６である。このように、楽曲識別情報１５０の一部分を取り出せばその楽曲の演奏者やアルバムを特定することができるので対応関係の管理が容易となる。例えば、「ＡＡＡＡＡ０００１０１」の楽曲識別情報１５０で示される楽曲と演奏者が共通である他の楽曲を抽出する場合には、上５桁が「ＡＡＡＡＡ」の楽曲識別情報をもつ他の楽曲を抽出すればよい。例えば、「ＡＡＡＡＡ０００１０１」の楽曲識別情報１５０で示される楽曲と同じアルバムに収録された他の楽曲を抽出する場合には、上６〜９桁が「０００１」の楽曲識別情報をもつ他の楽曲を抽出すればよい。
【００４３】
図６は、楽曲識別情報と楽曲情報文書の対応関係が格納されたテーブルの図である。本図に示される楽曲情報文書テーブル１７０は、楽曲情報格納部１０８に格納される。楽曲情報文書テーブル１７０には、楽曲欄１７２および楽曲情報文書欄１７４が含まれる。楽曲欄１７２には、図５で示した形式の楽曲識別情報が格納される。楽曲情報文書欄１７４には、楽曲欄１７２に格納された楽曲識別情報と対応する楽曲情報文書のファイル名が格納される。楽曲情報文書には、主にＨＴＭＬファイルと画像ファイルが含まれる。
【００４４】
図７は、ユーザごとの推薦楽曲の対応関係を示すテーブルの図である。本図に示される登録曲テーブル１６０は楽曲情報格納部１０８に格納される。登録曲テーブル１６０には、ユーザ欄１６２、第１登録楽曲欄１６４、第２登録楽曲欄１６６、第３登録楽曲欄１６８が含まれる。ユーザ欄１６２には、ユーザ別にユーザ識別情報が格納され、そのユーザに対応する各推薦楽曲が第１登録楽曲欄１６４、第２登録楽曲欄１６６、第３登録楽曲欄１６８のそれぞれに格納される。第１登録楽曲欄１６４には、ユーザごとに現在再生中の楽曲の楽曲識別情報が格納される。第２登録楽曲欄１６６には、ユーザごとに高い頻度で再生される楽曲の楽曲識別情報が格納される。第３登録楽曲欄１６８には、ユーザごとに推薦指定した楽曲の楽曲識別情報が格納される。第３登録楽曲欄１６８に指定された楽曲はそれぞれユーザによる数段階の評価値とともに格納されてもよい。登録曲テーブル１６０の内容は、ユーザごとに作成されて適宜更新される。以上の登録曲テーブル１６０の内容は、ユーザにより公開と非公開のいずれかが設定されてもよい。非公開に設定された場合、その内容は他のユーザの楽曲再生装置１０に表示すべき楽曲情報文書には埋め込まれない。
【００４５】
以上のように、バディリスト１４０、楽曲情報文書テーブル１７０、登録曲テーブル１６０が作成される。識別情報受信部１０４が楽曲再生装置１０からユーザ識別情報と楽曲識別情報を受信すると、楽曲特定部１０６は受信した楽曲識別情報に対応する楽曲情報文書を楽曲情報文書テーブル１７０から抽出し、受信したユーザ識別情報に対応するバディをバディリスト１４０から抽出し、そのバディのユーザ識別情報に対応する推薦楽曲を登録曲テーブル１６０から抽出し、楽曲情報文書の所定領域に埋め込む。これにより、ユーザが再生中の楽曲に関連した文章や画像の有用情報を、その楽曲の再生中に楽曲再生装置１０の液晶画面１２へ視覚的に表示させることができる。ユーザは単に音楽を楽しむだけでなく、最新の情報を取得できたり、好みが共通する可能性の高い仲間の推薦楽曲を知ることもできる。また、再生中の楽曲と関連の深い他の楽曲も紹介される。これにより、楽曲再生装置１０の液晶画面１２は単なる楽曲名等の表示エリアとしてだけではなく、ユーザの好みに合致したつねに新しい音楽情報の表示エリアとして有効に利用することができる。
【００４６】
以上、本発明を実施の形態をもとに説明した。この実施の形態は例示であり、その各構成要素や各処理プロセスの組合せにいろいろな変形が可能なこと、またそうした変形例も本発明の範囲にあることは当業者に理解されるところである。以下、変形例を挙げる。
【００４７】
実施例においては、ユーザの好みの楽曲を推薦指定することができる旨説明したが、変形例においては、複数の好みの楽曲をその曲順とともに指定したプレイリストを楽曲情報格納部１０８に格納しておいてもよい。その場合、プレイリストを指定したユーザをバディとしてバディリストに登録したユーザが使用する楽曲再生装置１０の液晶画面１２には、バディのプレイリストを表示させることもできる。
【００４８】
楽曲特定部１０６は、楽曲再生装置１０から受信した楽曲識別情報に基づき、その楽曲を再生中の他のユーザやその楽曲を頻繁に再生する他のユーザ、その楽曲を推薦指定している他のユーザ等を楽曲情報格納部１０８から抽出して、上記の楽曲識別情報を送信してきたユーザの楽曲再生装置１０へ送信し、その液晶画面１２に表示させてもよい。これによりユーザは自分の音楽の好みが共通する他のユーザを抽出でき、バディに登録することができる。
【００４９】
実施例における楽曲再生装置１０は、アンテナ１６を介した無線通信にて楽曲情報配信サーバ１００と通信接続する構成を例示した。変形例においては、クレイドルと呼ばれる充電等のための載置台に楽曲再生装置１０を載置したときに、そのクレイドルに接続された有線ネットワーク回線を通じた楽曲情報配信サーバ１００との接続に自動で切り替える手段を有してもよい。このように、楽曲再生装置１０が載置台に載置されているか否かを検出し、載置の有無に応じて有線と無線を切り替えることにより、通信の効率化と通信料金の低減を実現できる。さらに、有線に切り替わったときは、楽曲再生装置１０と楽曲情報配信サーバ１００の間の通信方式も切り替え、バディリストに登録したバディの再生状況等の更新頻度を高めてもよい。
【００５０】
実施例においては、楽曲データを特定するための情報として楽曲識別情報を用いる構成としたが、変形例においては、楽曲データの一部、楽曲の音符を示す情報、楽曲の波形データ等を用いて楽曲データを特定する構成としてもよい。例えば、楽曲再生装置１０が楽曲の波形の一部を楽曲情報配信サーバ１００へ送信し、楽曲情報配信サーバ１００はその波形データに基づいて楽曲を特定し、その楽曲データの再生する権利の有無を判断してもよい。この場合、楽曲識別情報が不明な楽曲であっても、そのデータの一部を楽曲情報配信サーバ１００へ送信するだけで、対応する楽曲情報文書を得ることができる。
【図面の簡単な説明】
【００５１】
【図１】楽曲再生装置の外観を示す図である。
【図２】楽曲再生装置および楽曲情報配信サーバの基本的な構成を示す機能ブロック図である。
【図３】楽曲再生装置の液晶画面における表示内容を模式的に示す図である。
【図４】バディリストのテーブルを模式的に示す図である。
【図５】楽曲識別情報の形式を示す図である。
【図６】楽曲識別情報と楽曲情報文書の対応関係が格納されたテーブルの図である。
【図７】ユーザごとの推薦楽曲の対応関係を示すテーブルの図である。
【符号の説明】
【００５２】
１０  楽曲再生装置、  ２４  表示処理部、  ２６  指示受付部、  ４０  楽曲認識部、  ４４  識別情報送信部、  ４６  楽曲情報受信部、  １００  楽曲情報配信サーバ、  １０４  識別情報受信部、  １０６  楽曲特定部、  １０８  楽曲情報格納部、  １１０  文書送信部、  １１２  ユーザリスト格納部、  １１４  再生情報記録部、  １５０  楽曲識別情報、  １５２  演奏者識別情報、  １５４  アルバム識別情報。
【図１】
2006113148.tif 000003
【図２】
2006113148.tif 000004
【図３】
2006113148.tif 000005
【図４】
2006113148.tif 000006
【図５】
2006113148.tif 000007
【図６】
2006113148.tif 000008
【図７】
2006113148.tif 000009